(57)【要約】【課題】クッション性を使用者の好みに応じて調節できるようにする。【解決手段】クッション性素材の枕本体２で構成し、この枕本体２の内部適所に空洞部３を設け、この空洞部３に嵌合保持して、枕本体２のクッション性を調節可能な調節素材４を複数備える。これら調節素材４は、それぞれ反発性の相違する四分割素材４ａ，４ｂ，４ｃ，４ｄを適宜な手段により一体的に接合して円筒状に構成する。またこれら調節素材４を構成する四分割素材４ａ〜４ｄは、周知の複数の反発性の素材から、異なる組み合わせで構成し、クッション性の異なる複数の調節素材４とする。【選択図】              図２
2004154353.tif 000002
【特許請求の範囲】
【請求項１】
クッション性素材の枕本体で構成し、この枕本体の内部適所に空洞部を設け、この空洞部に嵌合保持して、枕本体のクッション性を調節可能な調節素材を複数備え、これら調節素材は、複数の異なる反発性の素材から、互いに反発性の相違する素材を複数組み合わせて一体構成したことを特徴とする枕装置。
【請求項２】
前記空洞部を枕本体幅方向の少なくとも一端面側を開口して前記調節素材を挿脱可能に構成したことを特徴とする請求項１記載の枕装置。
【請求項３】
前記空洞部は、断面円筒状の形状としたことを特徴とする請求項１記載の枕装置。
【発明の詳細な説明】
【０００１】
【発明が属する技術分野】
本発明は、クッション性を使用者の好みに応じて調節できるようにした、枕装置に関するものである。
【０００２】
【従来の技術】
人間が就寝時、健常者でも病弱者でも、枕は大変重要であり、枕自体の固さは勿論、形状、支えたときの高さ寸法が使用者によって、千差万別であるのは周知のとおりである。
枕自体の高さが高すぎると、頚椎が極端に内側に曲がって、気道が圧迫され、息苦しくなったり、肩が凝ったりする。
一方、枕の高さが低すぎたり、柔らかすぎると、頭が沈み込んでしまい、大変寝心地が悪くなって、快適性が損なわれるおそれがある。また、高血圧症の患者には、不向きである。
【０００３】
そこで、最近、柔軟度を変更できるようにした枕が提案されている（実用新案登録第３０７７７６０号参照）。この枕では、ポリウレタン発泡体からなる枕本体と強化部材と枕カバーとからなり、枕本体中段部の底部に、スリットを有する横溝を形成して、この横溝に枕本体より硬い材質の強化部材を着脱して枕の柔軟度を変更するようにしている。
【０００４】
【発明が解決しようとする課題】
しかしながら、上記枕では、柔軟度を変更するといっても、前記強化部材の材質に応じた柔軟度のみにとどまる。さらに満足のいく柔軟度を得るには、異なった材質の強化部材を何種類か備える必要がある。
また、横溝におけるスリットは、横溝直下の枕本体底部にあるので、使用に際して上からの荷重によって、スリットが広がり、横溝が変形して強化部材が抜け落ちるおそれがある。
本発明はこのような課題を改善するために提案されたものであって、より好適にクッション性を使用者の好みに応じて調節でき、しかも調節素材が脱落しにくい構造とした、枕装置を提供することを目的とする。
【０００５】
【課題を解決するための手段】
上述した課題を解決するために、本発明では、請求項１において、クッション性素材の枕本体で構成し、この枕本体の内部適所に空洞部を設け、この空洞部に嵌合保持して、枕本体のクッション性を調節可能な調節素材を複数備え、これら調節素材は、複数の異なる反発性の素材から、互いに反発性の相違する素材を複数組み合わせて一体構成した枕装置を提案する。
また本発明では、請求項２において、前記空洞部を枕本体幅方向の少なくとも一端面側を開口して前記調節素材を挿脱可能に構成した枕装置を提案する。
さらに本発明では、請求項３において、前記空洞部は、断面円筒状の形状とした枕装置を提案する。
【０００６】
請求項１によれば、枕本体の空洞部に、複数の異なる反発性の素材を接合構成した調節素材を、好みに応じてそれぞれの素材の向きが異なるように入れ方を変えて嵌合保持する。これにより、枕本体の空洞部を形成した外面のクッション性を使用者の好みに対応させることができる。
【０００７】
請求項２によれば、枕本体の内部適所における空洞部に、枕本体幅方向端面の開口側から、種々の異なる反発性の素材の組合せの調節素材から適宜選び出した調節素材を押し込んで嵌合保持し、さらに調節素材のそれぞれの素材の向きを変えることで、クッション性を使用者の好みに対応させることができる。
【０００８】
請求項３によれば、調節素材は断面を円筒状としたことで、前記調節素材を空洞部内で回動させることで、調節素材のそれぞれの素材の向きを変更することが容易である。
【０００９】
【発明の実施の態様】
以下、本発明にかかる枕装置につき、一つの実施の態様を挙げ、添付の図面に基づいて説明する。
図１に示す枕装置１は、クッション性素材の枕本体２で構成し、この枕本体２の内部適所に空洞部３を設け、この空洞部３に嵌合保持して、枕本体２のクッション性を調節可能な調節素材４を複数備えている。
これら調節素材４は、それぞれ反発性の相違する四分割素材４ａ，４ｂ，４ｃ，４ｄを適宜な手段により一体的に接合して円筒状に構成している。またこれら調節素材４を構成する四分割素材４ａ〜４ｄは、周知の複数の反発性の素材から、異なる組み合わせで構成し、クッション性の異なる複数の調節素材４としている（図２参照）。
なお、前記枕本体２は、図示は省略するが、取り外し可能なカバー部材で覆っている。
【００１０】
前記枕本体２は、周知のクッション性素材を使用し、外形が、図中、左右方向右側寄りの箇所を肉厚として、かかる右側寄りの箇所の内部には、前記空洞部３を形成している。なお、この右側寄りの箇所は、使用者の後頭部から首にかけての箇所を支えるようにしている。
【００１１】
前記空洞部３は、枕本体２内部を断面円筒状にくり抜いて構成したもので、枕本体２幅方向（図中、左右方向と直交する方向）の一端側を開口して形成している。勿論、空洞部３は枕本体２幅方向両端側を開口してもよい。
【００１２】
以上のように構成される枕装置１において、枕本体２の内部適所における空洞部３に、枕本体２幅方向端面の開口側から、種々の異なる反発性の四分割素材４ａ〜４ｄの組合せの調節素材４から適宜選び出した調節素材４を押し込んで嵌合保持する。
次いで、前記調節素材４を空洞部３内で回動させ、四分割素材４ａ〜４ｄのそれぞれの素材の向きが異なるように入れ方を変える。これにより全体のクッション性を使用者の好みに対応させることができる。
その場合、前記空洞部３は、断面円筒状にくり抜いて構成しているので、調節素材４のそれぞれの素材の向きを変更することが容易である。
【００１３】
枕本体２の内部適所における空洞部３に調節素材４をいれる際、枕本体２幅方向端面の開口面を、枕本体２のクッション性に抗して拡開させて、空洞部３内に調節素材４を装入しやすくすることができる（図２参照）。
そして、もしクッション性が合わないときは、空洞部３内で前記調節素材４を回動させ、四分割素材４ａ〜４ｄのそれぞれの素材の向きを変える。
さらに、クッション性が合わない場合は、別の組み合わせの調節素材４を選択し、同様に空洞部３内で前記調節素材４を回動させ、四分割素材４ａ〜４ｄのそれぞれの素材の向きを変える。
【００１４】
かかる枕本体２に、使用者は、厚さ寸法の大きい、すなわち空洞部３を形成した外面に、使用者の後頭部から首にかけての箇所を乗せて使用することができる。この時、枕本体２は、頭からの荷重によって、空洞部３は、図中、二点鎖線で示すように変形する（図１参照）。
ここで、枕本体２の空洞部３を形成した上面側は、空洞部３に保持した調節素材４の反発特性が反映されているので、使用者が後頭部から首にかけての箇所を乗せることで、枕本体２は沈み込み変形し、使用者好みの反発性で前記後頭部から首にかけての箇所を支えることができる。
なお、前記調節素材４は、開口した空洞部３の枕本体２幅方向端面側から、引き出されない限り、空洞部３から脱落することなく保持される。
【００１５】
【発明の効果】
以上の通り、本発明によれば、枕本体の空洞部に、複数の異なる反発性の素材を接合構成した調節素材を、好みに応じてそれぞれの素材の向きが異なるように入れ方を変えて嵌合保持することで、枕本体のクッション性を一層、使用者の好みに対応させることができる。
【００１６】
【図面の簡単な説明】
【図１】本発明にかかる枕装置の一つの実施の形態を示す断面説明図である。
【図２】図１に示す枕装置の全体構成を示す、斜視説明図である。
【符号の説明】
１                            枕装置
２                            枕本体
３                            空洞部
４                            調節素材
４ａ，４ｂ，４ｃ，４ｄ        四分割素材
【図１】
2004154353.tif 000003
【図２】
2004154353.tif 000004